(57)【要約】【課題】この発明は、本体から取り外したカバーを、作業者が座る椅子に組み立てられるように構成し、椅子に座っての作業を可能とし、作業者の作業負荷の軽減および作業時間の短縮を実現できるエレベータ制御盤を得る。【解決手段】エレベータ制御盤１は、立設された一面に長辺長さ方向を上下方向とする矩形に形成された開口３、および開口３の短辺長さ方向の両側に所定幅で上下方向に延在する一対の取付板２ｅを有する箱型の本体２と、上下方向に１列に並んで一対の取付板２ｅに着脱可能に取り付けられ、開口３を塞口する第１乃至第３カバー５，６，７と、を備え、第１乃至第３カバー５，６，７は、本体２から取り外されて、第２カバー６が座用カバーとなり、第１および第３カバー５，７が座用カバーを支持する脚部用カバーとなって作業椅子に組み立て可能に構成されている。【選択図】図１
2014005134.tif 000002
【特許請求の範囲】
【請求項１】
エレベータの機械室に設置されるエレベータ制御盤において、
立設された一面に長辺長さ方向を上下方向とする矩形に形成された開口、および該開口の短辺長さ方向の両側に所定幅で上下方向に延在する一対の取付板を有する箱型の本体と、
上下方向に１列に並んで上記一対の取付板に着脱可能に取り付けられ、上記開口を塞口する、少なくとも３枚のカバーと、を備え、
上記少なくとも３枚のカバーは、上記本体から取り外されて、１枚のカバーが座用カバーとなり、２枚のカバーが上記座用カバーを支持する脚部用カバーとなって作業椅子に組み立て可能に構成されていることを特徴とするエレベータ制御盤。
【請求項２】
上記座用カバーは、矩形平板状の座用カバー部と、上記座用カバー部の両短辺縁部に短辺長さ方向に離間してそれぞれ複数形成された締着部材挿通穴と、を有し、締着部材を上記締着部材挿通穴に通して上記一対の取付板に締着して取り付けられ、
上記脚部用カバーは、矩形平板状の脚部用カバー部と、上記脚部用カバー部の両短辺縁部に短辺長さ方向に離間してそれぞれ複数形成された締着部材挿通穴と、上記脚部用カバー部の一方の長辺から裏面側に直角に曲げられて長辺長さ方向に延在する座取付部と、を有し、上記脚部用カバー部の裏面を上記一対の取付板に向けて、締着部材を上記締着部材挿通穴に通して該一対の取付板に締着して取り付けられ、
被締着部が上記座用カバー部に形成された上記締着部材挿通穴のそれぞれに対応するように上記座取付部に形成されており、
上記座用カバーおよび上記脚部用カバーが取り外されたときに、上記締着部材を上記座用カバー部に形成された締着部材挿通穴に通して上記座取付部に形成された上記被締着部に締着して、上記座用カバーと上記脚部用カバーとを連結し、上記作業椅子が組み立てられることを特徴とする請求項１記載のエレベータ制御盤。
【請求項３】
上記締着部材により上記脚部用カバーとともに上記一対の取付板に共締めされた補強板を備え、
上記補強板は、上記脚部用カバーとともに取り外され、両端を上記締着部材により２枚の上記脚部用カバーのそれぞれに締着固定されて、２枚の上記脚部用カバーを連結することを特徴とする請求項２記載のエレベータ制御盤。
【請求項４】
上下方向に１列に並んで上記一対の取付板に着脱可能に取り付けられた上記少なくとも３枚のカバーのなかの連続する３枚のカバーが、ヒンジを介して回動可能に連結され、
上記連結された３枚のカバーが取り外されたときに、上記ヒンジ周りに回動させて、中央のカバーが上記座用カバーとなり、両側のカバーが上記脚部用カバーとなるように、上記作業椅子が組み立てられることを特徴とする請求項１記載のエレベータ制御盤。
【請求項５】
上記連結された３枚のカバーの裏面に着脱可能に装着される補強バーと、
２枚の上記脚部用カバーのそれぞれの裏面に固着された補強バー取付金と、を備え、
上記補強バーは、上記連結された３枚のカバーから取り外され、上記補強バー取付金に取り付けられて、２枚の上記脚部用カバーを連結することを特徴とする請求項４記載のエレベータ制御盤。
【発明の詳細な説明】
【技術分野】
【０００１】
この発明は、エレベータの機械室に設置されるエレベータ制御盤に関し、特にメンテナンス時に、エレベータ制御盤の箱体から取り外されて、作業者が座る椅子に組み立てられるカバーの構造に関するものである。
【背景技術】
【０００２】
従来のエレベータ制御盤は、縦型の箱体と、その一側に開閉自在に枢着された扉と、を備え、各種の制御機器がその内部に縦方向に積み重ねられて収納されていた（例えば、特許文献1参照）。
【先行技術文献】
【特許文献】
【０００３】
【特許文献１】特開２００６−１５１６４３号公報
【発明の概要】
【発明が解決しようとする課題】
【０００４】
従来のエレベータ制御盤では、メンテナンス時、作業者は、扉を開け、メンテナンス対象の制御機器にアクセスすることになる。そして、メンテナンス対象の制御機器が箱体の下部側に収納されている場合には、作業者は、前かがみの姿勢、あるいはしゃがみ込んだ姿勢で作業をすることになり、作業者の作業負荷が増大するとともに、作業時間が長くなるという問題があった。
【０００５】
近年では、エレベータの省スペース化のニーズが高く、機械室に設置される各機器においてもコンパクト化が求められている。エレベータ制御盤においても、小型化が求められ、オプションの多様化に伴い、制御盤内の高密度化が進んでおり、ますます、作業者の作業負荷の増大および作業時間の長時間化の傾向にある。
【０００６】
本発明は、このような課題を解決するためになされたものであり、本体から取り外したカバーを、作業者が座る椅子に組み立てられるように構成し、椅子に座っての作業を可能とし、作業者の作業負荷の軽減および作業時間の短縮を実現できるエレベータ制御盤を得ることを目的とする。
【課題を解決するための手段】
【０００７】
本発明に係るエレベータ制御盤は、立設された一面に長辺長さ方向を上下方向とする矩形に形成された開口、および該開口の短辺長さ方向の両側に所定幅で上下方向に延在する一対の取付板を有する箱型の本体と、上下方向に１列に並んで上記一対の取付板に着脱可能に取り付けられ、上記開口を塞口する、少なくとも３枚のカバーと、を備え、上記少なくとも３枚のカバーは、上記本体から取り外されて、１枚のカバーが座用カバーとなり、２枚のカバーが上記座用カバーを支持する脚部用カバーとなって作業椅子に組み立て可能に構成されている。
【発明の効果】
【０００８】
本発明によれば、本体から取り外されたカバーが作業椅子に組み立てられるように構成されているので、メンテナンス時、作業者が、本体から取り外されたカバーで作業椅子を組み立て、その作業椅子に座って作業することができ、作業者の作業負荷が軽減され、作業時間が短縮される。
【図面の簡単な説明】
【０００９】
【図１】この発明の実施の形態１に係るエレベータ制御盤を示す正面図である。
【図２】この発明の実施の形態１に係るエレベータ制御盤を示す側面図である。
【図３】この発明の実施の形態１に係るエレベータ制御盤から取り外したカバーで作業椅子を組み立てる方法を説明する側面図である。
【図４】この発明の実施の形態１に係るエレベータ制御盤から取り外したカバーで作業椅子を組み立てる方法を説明する上面図である。
【図５】この発明の実施の形態１に係るエレベータ制御盤から取り外したカバーで組み立てられた作業椅子を示す図である。
【図６】この発明の実施の形態１に係るエレベータ制御盤のメンテナンス作業を説明する図である。
【図７】この発明の実施の形態２に係るエレベータ制御盤を示す正面図である。
【図８】この発明の実施の形態２に係るエレベータ制御盤を示す側面図である。
【図９】この発明の実施の形態２に係るエレベータ制御盤から取り外したカバーで作業椅子を組み立てる方法を説明する側面図である。
【図１０】図９のＸ−Ｘ矢視断面図である。
【図１１】この発明の実施の形態２に係るエレベータ制御盤から取り外したカバーで組み立てられた作業椅子を示す図である。
【発明を実施するための形態】
【００１０】
以下、本発明のエレベータ制御盤の好適な実施の形態について図面を用いて説明する。
【００１１】
実施の形態１．
図１はこの発明の実施の形態１に係るエレベータ制御盤を示す正面図、図２はこの発明の実施の形態１に係るエレベータ制御盤を示す側面図、図３はこの発明の実施の形態１に係るエレベータ制御盤から取り外したカバーで作業椅子を組み立てる方法を説明する側面図、図４はこの発明の実施の形態１に係るエレベータ制御盤から取り外したカバーで作業椅子を組み立てる方法を説明する上面図である。図５はこの発明の実施の形態１に係るエレベータ制御盤から取り外したカバーで組み立てられた作業椅子を示す図であり、図５の（ａ）はその上面図、図５の（ｂ）はその側面図、図５の（ｃ）はその正面図である。図６はこの発明の実施の形態１に係るエレベータ制御盤のメンテナンス作業を説明する図である。なお、図１および図４では、説明の便宜上、一部のねじを省略し、かつ部材の一部分を省略して、ねじ挿通穴、カバー取付用ねじ穴および座取付用ねじ穴を示している。
【００１２】
図１および図２において、エレベータ制御盤１は、立設した４面のうちの一面である正面に長辺の長さ方向を上下方向とする矩形の開口３が形成された縦型の本体２と、本体２に開口３を塞口するように締着部材としてのねじ８により締着固定されるカバー４と、を備える。
【００１３】
本体２は、鋼板製であり、一対の側板２ａ、天板２ｂ、底板２ｃ、および背面板２ｄからなり、正面を開口３とする直方体に構成され、取付板２ｅが、一対の側板２ａの正面側端部から直角に、かつ相対するように延設されて、開口３の両側に、所定の幅で上下方向に延在している。取付板２ｅのそれぞれには、後述する第１カバー５、第２カバー６、および第３カバー７を取り付けるためのカバー取付用ねじ穴１１が形成されている。
【００１４】
カバー４は、上下方向に、第１カバー５、第２カバー６、および第３カバー７の３つに分割構成されている。
【００１５】
第１カバー５は、鋼板製であり、本体２の上下方向長さを３等分した長さに略等しい長さの短辺と本体２の正面の幅より僅かに長い長さの長辺を有する矩形平板状のカバー部５ａと、カバー部５ａの両短辺の全域から直角に裏面側に曲げられた側部５ｂと、カバー部５ａの矩形平板状の一方の長辺の両端側を除く、短辺の長さに略等しい領域から直角に裏面側に曲げられた座取付部５ｃと、を備えている。締着部材挿通穴としてのねじ挿通穴１０が、カバー部５ａの両短辺の縁部に短辺の長さ方向に離間して２つずつ形成されている。補強板取付用ねじ穴１２が、図３に示されるように、両側部５ｂのカバー部５ａの他方の長辺側に１つずつ形成されている。被締着部としての座取付用ねじ穴１３が、図４に示されるように、座取付部５ｃにカバー部５ａの長辺の長さ方向に離間して２つ形成されている。
【００１６】
第２カバー６は、鋼板製であり、本体２の上下方向長さを３等分した長さに略等しい長さの短辺と本体２の正面の幅より僅かに長い長さの長辺を有する矩形平板状のカバー部６ａと、カバー部６ａの矩形平板状の両短辺の全域から直角に裏面側に曲げられた側部６ｂと、カバー部６ａの矩形平板状の両長辺の両端側を除く、開口３の幅に略等しい領域から直角に裏面側に曲げられた補強部６ｃと、を備えている。ねじ挿通穴１０が、カバー部６ａの両短辺の縁部に短辺の長さ方向に離間して２つずつ形成されている。
【００１７】
第３カバー７は、鋼板製であり、本体２の上下方向長さを３等分した長さに略等しい長さの短辺と本体２の正面の幅より僅かに長い長さの長辺を有する矩形平板状のカバー部７ａと、カバー部７ａの両短辺の全域から直角に裏面側に曲げられた側部７ｂと、カバー部７ａの矩形平板状の一方の長辺の両端側を除く、短辺の長さに略等しい領域から直角に裏面側に曲げられた座取付部７ｃと、を備えている。ねじ挿通穴１０が、カバー部７ａの両短辺の縁部に短辺の長さ方向に離間して２つずつ形成されている。補強板取付用ねじ穴１２が、図３に示されるように、両側部７ｂのカバー部７ａの他方の長辺側に１つずつ形成されている。座取付用ねじ穴１３が、図４に示されるように、座取付部７ｃにカバー部７ａの長辺の長さ方向に離間して２つ形成されている。
【００１８】
ここで、第１および第３カバー５，７が脚部用カバーに相当し、第２カバー６が座用カバーに相当する。第３カバー７は、第１カバー５と同一形状に作製されている。座取付部５ｃ，７ｃに形成された２つの座取付用ねじ穴１３の間隔は、第１カバー６のカバー部６ａの各短辺縁部に形成されたねじ挿通穴１０の間隔に等しい。
【００１９】
第１カバー５は、カバー部５ａの裏面を背面板２ｄに向けて、正面側から本体２の上部側に宛がわれ、ねじ８をカバー部５ａの両短辺側の上下方向の２箇所のねじ挿通穴１０に通して取付板２ｅのカバー取付用ねじ穴１１に締着し、本体２に取り付けられる。そして、一対の側部５ｂが、本体２の各側板２ａの外側に位置し、座取付部５ｃが本体２の天板２ｂの外側に位置している。
【００２０】
第２カバー６は、カバー部６ａの裏面を背面板２ｄに向けて、正面側から本体２の中央側に宛がわれ、ねじ８をカバー部６ａの両短辺側の上下方向の２箇所のねじ挿通穴１０に通して取付板２ｅのカバー取付用ねじ穴１１に締着されて、本体２に取り付けられる。そして、一対の側部６ｂが、本体２の各側板２ａの外側に位置している。
【００２１】
第３カバー７は、カバー部７ａの裏面を背面板２ｄに向けて、正面側から本体２の下部側に宛がわれ、ねじ８をカバー部７ａの両短辺側の上下方向の２箇所のねじ挿通穴１０に通して取付板２ｅのカバー取付用ねじ穴１１に締着されて、本体２に取り付けられる。そして、一対の側部７ｂが、本体２の各側板２ａの外側に位置し、座取付部７ｃが第２カバー６の下側の補強部６ｃに近接して幅方向に延在している。
【００２２】
矩形平板状の補強板９が、カバー部７ａの表面側に、上下方向に離間して、開口３の幅方向に延在し、ねじ８をその両端に形成されたねじ挿通穴１０に通してカバー部７ａとともに取付板２ｅのカバー取付用ねじ穴１１に共締めされて、本体２に取り付けられている。
【００２３】
このように作製されたエレベータ制御盤１は、例えば、エレベータの機械室に設置され、各種の制御機器がその内部に縦方向に積み重ねられて収納される。
【００２４】
そして、メンテナンス時に、作業者は、機械室に入り、ねじ８を取り外して、第１、第２および第３カバー５，６，７および補強板９を取り外す。ついで、第１カバー５と第３カバー７とを、裏面側を相対させ、かつ座取付部５ｃ、７ｃを上に向けて立て、第２カバー６を座取付部５ｃ，７ｃ上に載置する。そして、図３に示されるように、ねじ８をカバー部６ａに形成されたねじ挿通穴１０に通し、座取付部５ｃ，７ｃに形成された座取付用ねじ穴１３に締着し、第２カバー６を第１および第２カバー５，７に取り付ける。さらに、図４に示されるように、ねじ８を補強板９に形成されたねじ挿通穴１０に通し、第１および第３カバー５，７の側部５ｂ，７ｂに形成された補強板取付用ねじ穴１２に締着し、補強板９を第１および第３カバー５，７に取り付ける。
【００２５】
これにより、図５に示されるように、作業椅子１５が組み立てられる。第１および第３カバー５，７が脚部となり、第２カバー６が座となる。そして、第１および第３カバー５，７が上部で第２カバー６で連結され、下部で補強板９により連結されているので、作業椅子１５の強度が高められる。また、補強部６ｃが第２カバー６のカバー部６ａの矩形平板状の両長辺から直角に裏面側に曲げられて形成されているので、第２カバー６の強度が高められる。
【００２６】
そこで、作業者は、図６に示されるように、作業椅子１５に座り、メンテナンス対象の制御機器にアクセスすることになり、作業者の作業負荷が軽減され、作業時間を短縮することができる。また、作業者は、機械室に作業台を持ち込む必要もない。
【００２７】
なお、上記実施の形態１では、締着部材としてねじを用いるものとしているが、ボルトを用いてもよい。この場合、被締着部は、ねじ穴に替えてナットを用いることになり、本体の取付板、および第１および第２カバーの側部および取付部に貫通穴を形成し、ナットを貫通穴と同軸に取付板、側部、および取付部の裏面に溶接などにより固着すればよい。
【００２８】
また、上記実施の形態１では、カバーが２つのカバーに分割構成されているものとしているが、カバーの分割数は３つに限定されず、４つ以上でもよい。この場合、少なくとも２つのカバーで脚部を構成し、少なくとも１つのカバーで座を構成すればよい。
【００２９】
また、上記実施の形態１では、第１乃至第３カバーのカバー部が短辺縁部を短辺の長さ方向に離間した２箇所で取付板に締着されるものとしているが、カバー部の短辺縁部を短辺の長さ方向に離間する３箇所以上で取付板に締着してもよい。この場合、ねじによる第２カバーのカバー部と第１および第３カバーの座取付部との締着は、第２カバーのカバー部の全てのねじ挿通穴を利用してもよいし、一部のねじ挿通穴を利用してもよい。
【００３０】
実施の形態２．
図７はこの発明の実施の形態２に係るエレベータ制御盤を示す正面図、図８はこの発明の実施の形態２に係るエレベータ制御盤を示す側面図、図９はこの発明の実施の形態２に係るエレベータ制御盤から取り外したカバーで作業椅子を組み立てる方法を説明する側面図、図１０は図９のＸ−Ｘ矢視断面図である。図１１はこの発明の実施の形態２に係るエレベータ制御盤から取り外したカバーで組み立てられた作業椅子を示す図であり、図１１の（ａ）はその上面図、図１１の（ｂ）はその側面図、図１１の（ｃ）はその正面図である。
【００３１】
図７および図８において、エレベータ制御盤１Ａは、正面に矩形の開口３が形成された縦型の本体２と、本体２に開口３を塞口するように着脱可能に装着されるカバー２０と、を備える。
【００３２】
本体２の取付板２ｅのそれぞれには、後述する第１カバー２１、第１カバー２２、および第３カバー２３を取り付けるためのボルト１９が立設されている。
【００３３】
カバー２０は、上下方向に、第１カバー２１、第２カバー２２、および第３カバー２３の３つに分割構成されている。
【００３４】
第１カバー２１は、鋼板製であり、本体２の上下方向長さを３等分した長さに略等しい長さの短辺と本体２の正面の幅より僅かに長い長さの長辺を有する矩形平板状のカバー部２１ａと、カバー部２１ａの両短辺の全域から直角に裏面側に曲げられた側部２１ｂと、カバー部２１ａの矩形平板状の一方の長辺の両端側を除く領域から直角に裏面側に曲げられた折り曲げ片２１ｃと、を備えている。取付穴３０が、カバー部２１ａの両短辺の縁部に短辺の長さ方向に離間して２つずつ形成されている。取付穴３０は、ボルト１９の頭部が通過可能なボルト挿通穴３０ａと、ボルト１９の頭部が通過できず、かつ軸部が通過可能な幅のボルト支持穴３０ｂと、をつなげた穴形状を有し、ボルト支持穴３０ｂがカバー部２１ａの一方の長辺側に位置するように形成されている。
【００３５】
３つのＬ型アングル２５は、起立片２５ａが折り曲げ片２１ｃと平行となり、かつ互いに面一となるように、カバー部２１ａの裏面の折り曲げ片２１ｃ側に、カバー部２１ａの長辺の長さ方向に離間して固着されている。さらに、貫通穴２６がＬ型アングル２５の起立片２５ａの真ん中に穿設されている。そして、２つのＬ型アングル２５が、カバー部２１ａの長辺の長さ方向の両端側に位置し、残る１つのＬ型アングル２５が、他の一つのＬ型アングル２５から所定距離離れて位置している。補強バー２７は、両端を直角に折り曲げたコ字状に作製され、折り曲げ部２７ａを貫通穴２６に差し込んで、所定距離離れた２つのＬ型アングル２５の起立片２５ａ間に架設されている。
【００３６】
第２カバー２２は、鋼板製であり、本体２の上下方向長さを３等分した長さに略等しい長さの短辺とカバー部２１ａの長辺より僅かに長い長さの長辺を有する矩形平板状のカバー部２２ａと、カバー部２２ａの矩形平板状の両短辺の全域から直角に裏面側に曲げられた側部２２ｂと、を備えている。取付穴３０が、カバー部２２ａの両短辺の縁部に短辺の長さ方向に離間して２つずつ形成されている。取付穴３０は、ボルト支持穴３０ｂがカバー部２２ａの一方の長辺側に位置するように形成されている。
【００３７】
第３カバー２３は、鋼板製であり、本体２の上下方向長さを３等分した長さに略等しい長さの短辺と本体２の正面の幅より僅かに長い長さの長辺を有する矩形平板状のカバー部２３ａと、カバー部２３ａの両短辺の全域から直角に裏面側に曲げられた側部２３ｂと、カバー部２３ａの矩形平板状の他方の長辺の両端側を除く領域から直角に裏面側に曲げられた折り曲げ片２３ｃと、を備えている。取付穴３０が、カバー部２３ａの両短辺の縁部に短辺の長さ方向に離間して２つずつ形成されている。取付穴３０は、ボルト支持穴３０ｂがカバー部２３ａの一方の長辺側に位置するように形成されている。
【００３８】
３つのＬ型アングル２５は、起立片２５ａが折り曲げ片２３ｃと平行となり、かつ互いに面一となるように、カバー部２３ａの裏面の折り曲げ片２３ｃ側に、カバー部２３ａの長辺の長さ方向に離間して固着されている。そして、２つのＬ型アングル２５が、カバー部２３ａの長辺の長さ方向の両端側に位置し、残る１つのＬ型アングル２５が、他の一つのＬ型アングル２５から所定距離離れて位置している。補強バー２７が、折り曲げ部２７ａを貫通穴２６に差し込んで、所定距離離れた２つのＬ型アングル２５の起立片２５ａ間に架設されている。なお、起立片２５ａと折り曲げ片２３ｃとの間の距離は、起立片２５ａと折り曲げ片２１ｃとの間の距離に等しい。
【００３９】
ここで、第１カバー２１のカバー部２１ａの他方の長辺と第２カバー２２のカバー部２２ａの一方の長辺とが、ヒンジ２８により、カバー部２１ａ，２２ａの長辺と平行な軸周りに回動可能に連結されている。また、第２カバー２２のカバー部２２ａの他方の長辺と第３カバー２３のカバー部２３ａの一方の長辺とが、ヒンジ２８により、カバー部２２ａ，２３ａの長辺と平行な軸周りに回動可能に連結されている。
【００４０】
また、図９に示されるように、第１カバー２１および第３カバー２３を第２カバー２２に対してヒンジ２８周りに９０度回動させたときに、カバー部２１ａ，２３ａの長辺の長さ方向の両端側に固着されているＬ型アングル２５同士が相対するように構成されている。そして、補強バー２７が、折り曲げ部２７ａを貫通穴２６に差し込んで、相対する２つのＬ型アングル２５の起立片２５ａ間に架設されるようになっている。そして、ヒンジ２８の軸と第３カバー２３の折り曲げ片２３ｃとの間の距離は、ヒンジ２８の軸と第１カバー２１の折り曲げ片２１ｃとの間の距離に等しくなっている。なお、第１および第３カバー２１，２３が脚部用カバーに相当し、第２カバー２２が座用カバーに相当する。Ｌ型アングル２５が補強バー取付金に相当する。
【００４１】
第１乃至第３カバー２１、２２，２３は、各取付穴３０のボルト挿通穴３０ａにボルト１９の頭部を通して下方に移動し、ボルト１９の軸部をボルト支持穴３０ｂに差し込む。これにより、ヒンジ２８により連結された第１乃至第３カバー２１，２２，２３が、開口３を塞口するように本体２に取り付けられる。
【００４２】
第１カバー２１は、一対の側部２１ｂが、本体２の各側板２ａの外側に位置し、折り曲げ片２１ｃが本体２の天板２ｂの外側に位置している。
第２カバー２２は、一対の側部２２ｂが、本体２の各側板２ａの外側に位置している。
第３カバー２３は、一対の側部２３ｂが、本体２の各側板２ａの外側に位置し、折り曲げ片２３ｃが本体２の底板２ｃの内側に位置している。
【００４３】
そして、メンテナンス時に、作業者は、機械室に入り、第１、第２および第３カバー２１，２２，２３を持って、上方に移動させ、ボルト１９の頭部をボルト挿通穴３０ａ内に位置させる。そこで、第１、第２および第３カバー２１，２２，２３を手前に引き、ボルト１９の頭部をボルト挿通穴３０ａを通して引き抜き、第１、第２および第３カバー２１，２２，２３を取り外す。ついで、図９に示されるように、第１カバー２１および第３カバー２３を第２カバー２２に対してヒンジ２８周りに９０度回動させる。ついで、図１０に示されるように、補強バー２７を９０度回し、折り曲げ部２７ａを、相対する２つのＬ型アングル２５の起立片２５ａの貫通穴２６に差し込み、Ｌ型アングル２５間に架設する。
【００４４】
これにより、図１１に示されるように、作業椅子１５Ａが組み立てられる。第１および第３カバー２１，２３が脚部となり、第２カバー２２が座となる。そして、第１および第３カバー２１，２３が上部でヒンジ２８を介して第２カバー２２で連結され、下部で補強バー２７により連結されているので、作業椅子１５Ａの強度が高められる。また、側部２１ｂ、２２ｂ、２３ｂが第１乃至第３カバー２１，２２，２３のカバー部２１ａ，２２ａ，２３ａの矩形平板状の両短辺から直角に裏面側に曲げられて形成されているので、作業椅子１５Ａの強度が高められる。
【００４５】
そこで、作業者は、作業椅子１５Ａに座り、メンテナンス対象の制御機器にアクセスすることになり、作業者の作業負荷が軽減され、作業時間を短縮することができる。また、作業者は、機械室に作業台を持ち込む必要もない。さらに、締着部材を用いることなく第１乃至第３カバー２１，２２，２３が本体２に取り付けられているので、第１乃至第３カバー２１，２２，２３の取り付け／取り外し作業が容易となる。さらにまた、締着部材を用いることなく作業椅子１５Ａが組み立てられているので、作業椅子１５Ａの組み立て／解体作業が容易となる。
【００４６】
なお、上記実施の形態２では、第１および第３カバーを第２カバーに対してヒンジ周りに９０度回動させるものとしているが、第１および第３カバーを第２カバーに対してヒンジ周りに９０度未満に回動させ、第１カバーと第３カバーとの先端間の間隔を根元間の間隔より広くしてもよい。
また、上記実施の形態２では、ボルトを用いて第１乃至第３カバーを本体に取り付けるようにしているが、ねじを用いて第１乃至第３カバーを本体に取り付けるようにしてもよい。この場合、ねじをボルト支持穴に挿入した後、ねじを締着して第１乃至第３カバーを本体に固着状態に取り付け、ねじを緩めて第１乃至第３カバーを取り外すことになる。
【符号の説明】
【００４７】
１，１Ａ  エレベータ制御盤、２  本体、２ｅ  取付板、３  開口、５  第１カバー（脚部用カバー）、５ａ  カバー部（脚部用カバー部）、５ｃ  座取付部、６  第２カバー（座用カバー）、６ａ  カバー部（座用カバー部）、７  第３カバー（脚部用カバー）、７ａ  カバー部（脚部用カバー部）、７ｃ  座取付部、８  ねじ（締着部材）、９  補強板、１０  ねじ挿通穴（締着部材挿通穴）、１３  座取付用ねじ穴（被締着部）、１５，１５Ａ  作業椅子、２１  第１カバー（脚部用カバー）、２２  第２カバー（座用カバー）、２３  第３カバー（脚部用カバー）、２５  Ｌ型アングル、（補強バー取付金）、２７  補強バー、２８  ヒンジ。
【図１】
2014005134.tif 000003
【図２】
2014005134.tif 000004
【図３】
2014005134.tif 000005
【図４】
2014005134.tif 000006
【図５】
2014005134.tif 000007
【図６】
2014005134.tif 000008
【図７】
2014005134.tif 000009
【図８】
2014005134.tif 000010
【図９】
2014005134.tif 000011
【図１０】
2014005134.tif 000012
【図１１】
2014005134.tif 000013